(57)【要約】【課題】生命エネルギーの賦活作用、体重減少、血栓予防、免疫機能向上の効果が得られる賦活酸素療法を提供する。【解決手段】肺胞内平均濃度が３０％以上となるように高濃度酸素を一日当たり２０分間以上、一週間当たり５日以上、３ケ月以上継続して吸入することを特徴とする。【選択図】      図３
2006102037.tif 000002
【特許請求の範囲】
【請求項１】
肺胞内酸素濃度が３０％以上となるように高濃度酸素を一日当たり２０分以上、一週間当たり５日以上、３ケ月以上継続して吸入することを特徴とする賦活酸素療法。
【発明の詳細な説明】
【技術分野】
【０００１】
本発明は、脂肪利用の促進、血液粘度低下、免疫細胞機能向上などのための賦活酸素療法に関する。
【背景技術】
【０００２】
従来、体重減量（ダイエット）のための脂肪の分解又は燃焼の利用は、食事制限法や運動処方などに限定されていた。しかし、これらの方法では、心身的ストレスが大きく、いずれもリバウンドを引き起こすため、決定的方法ではなかった。
【０００３】
濃度２５〜３５％程度の酸素を吸入することにより、体力回復、ストレス解消、爽快感などの健康増進効果が得られる酸素療法が特許文献１に、また、濃度４０％の酸素を一定時間（１５分間程度）吸入することにより、血行促進、新陳代謝の促進、頭脳活動の向上などの効果が得られる健康増進システムが特許文献２に記載されている。
【特許文献１】特開平８−１８９２１１号公報
【特許文献２】特開２０００−８４０３１号公報
【発明の開示】
【発明が解決しようとする課題】
【０００４】
しかしながら、上記先行技術はいずれも効果が健康増進効果に限られており、また、所期の効果を得るための吸入酸素の濃度・吸入時間・吸入頻度・継続期間などの諸条件については、脂肪代謝メカニズムが解明されていないため明確な指標が確立していないことから、効果発生の確実性に疑問があり、効果の内容及び程度も具体的でなく、健康増進という漠然としたもののみであった。
【０００５】
人間は酸素を吸って生命活動をしている。肺から吸い込んだ酸素は血液によって体内の細胞に運ばれ取り込まれ、ミトコンドリアによって糖や脂肪を分解（燃焼）するために使用されて生命エネルギー（ＡＴＰ）を生成している。これはいわゆる好気的代謝メカニズムであり、そのメカニズムには、通常の酸素濃度（２０．９％）で酸素需要量が賄われる。この酸素需要量が賄われない場合は、生命が失われることを意味する。酸素と生命（生命エネルギー）のこのような関係は、極めて密接であることは周知の事実となっている。しかし、各種臓器や組織が分化している人体の全体に対する生命エネルギーの持続的供給を考えた場合、上記ミトコンドリア機能とともに持続的エネルギー供給を可能としている何らかの生体内システムと関係していなければならない。
【０００６】
本発明者は、このような観点から、人が吸入する酸素が通常濃度酸素の場合の生命エネルギー供給源としての脂肪代謝と、それよりも濃度が高い酸素（高濃度酸素）の場合の生体全体での脂肪代謝とを対比研究したところ、酸素濃度を高めた場合は、生体全体での脂肪代謝が高まり、細胞内にもミトコンドリアが形成され、これに付随して各種の優れた効果が得られることをその根本的連関から見出した。本発明は、この知見に基づいてなされたものである。
すなわち、本発明は、貯蔵脂肪分解（体重減少）、血液粘度低下（血栓予防）、細胞機能向上並びに免疫機能向上という細胞構造レベルでの具体的かつ明確な効果が得られる賦活酸素療法を提供することを課題としている。
【課題を解決するための手段】
【０００７】
上記課題を解決するため、本発明の賦活酸素療法は、肺胞内酸素濃度が３０％以上となるように高濃度酸素を一日当たり２０分以上、一週間当たり５日以上、３ケ月以上継続して吸入することを特徴としている。
【０００８】
［作用］
作用効果には、高濃度酸素吸入条件との関係において、次のように大きく３段階の変化があり、有効性出現までには次のような経過をたどる。
１）速効的効果が出現する段階（１日２０分、１週間）
ア  脂肪分解酵素（リパーゼ）が活性化され、脂肪細胞内トリグリセライド（Ｔｒｉｇｌｙｃｅｒｉｄｅ：ＴＧ）が分解される。
イ  この結果により血液中へ遊離脂肪酸（ＦＦＡ）が移行し、プラズマＦＦＡの顕著な増加となる。
ウ  プラズマ粒子はさらに微小化し、小さな粒子が多くなる。
エ  ＬＣＡＴ（Ｌｅｃｉｔｈｉｎ  Ｃｈｏｌｅｓｔｅｒｏｌ  Ａｃｘｙｌｔｒａｎｓｆｅｒａｓｅ）活性が高まり、コレステロール処理機能が高まる。
２）緩効的効果が出現する段階（１日２０分、３ケ月）
このような速効的効果を継続することで、
ア  脂肪組織での脂肪分解能（リパーゼ活性）は著しく高まる。
イ  プラズマＦＦＡは常時高い値を示す。
ウ  赤血球膜脂質にＰＣ（Ｐｈｏｓｐｈａｔｉｄｙｌｃｈｏｌｉｎｅ）が多くなり、膜の流動性が高まる。
３）遅効的効果が出現する段階（１日２０分、６ケ月）
これらの現象をさらに継続することで、
ア  ミトコンドリアの増加が起こり、細胞水準での賦活となる。
イ  細胞構成脂質としての脂肪酸組成に変化が起こり、リノール酸組成の減少となり、この背景には、リノール酸→アラキドン酸→プロスタグランディン（Ｐｒｏｓｔａｇｌａｎｄｉｎ：ＰＧ）合成が昂進している。
ウ  この結果が免疫機能｛ＮＫ（ナチュラルキラー）細胞、ＩＬ−２（インターロイキン２）｝を高める。
エ  これらの成果が着床することで、脂肪組織は減少し、体重の低下となる。
【０００９】
３５％以上の高濃度酸素を一日２０分間以上、一週間に５日以上、３ケ月以上継続して吸入する場合は、次のような生体に対する作用が恒常的に行われる。
１）脂肪分解酵素が活性化され、脂肪細胞内のＴＧが分解される。
２）このＴＧ分解による遊離脂肪酸（ＦＦＡ）が血液中へ移行し、プラズマＦＦＡの顕著な増加となる。
３）プラズマＦＦＡの各細胞内への取り込みは、受動的に行なわれるため、この状態が起きると、必然的にミトコンドリアの脂肪利用が高まる。
４）高濃度酸素条件下では、ミトコンドリア量が増加する。したがって、脂肪燃焼が促進される結果となる。
５）その他の末梢の組織脂質の利用が促進される。これにより、組織脂質重量が低下し、体重減少に繋がる。
６）プラズマ粒子が小さくなる。これにより、血流が促進される。
７）ＬＣＡＴが高まり、コレステロール処理機能が高揚する。
８）赤血球膜の流動性が増加する。すなわち、血液の粘度が低下する。
９）リノール酸組成が減少する。これは、免疫機能を高めるプロスタグランディン合成が昂進していることを示す。
【発明の効果】
【００１０】
上記のように、３５％以上の高濃度酸素の２０分間以上／日、５日以上／週、及び３ケ月以上の継続吸引により恒常的にミトコンドリア量が増え、貯蔵脂肪（体脂肪：内臓脂肪・皮下脂肪）の分解、すなわち、脂肪の燃焼が促進されるので、脂肪組織重量の減少、すなわち、体重が減少する効果（ダイエット効果）が得られる。また、赤血球膜の流動性が増加し、血液の粘度が低下するとともに、プラズマ粒子が小さくなるので、血流が促進されるため、血栓予防効果が得られる。さらに、各組織ではミトコンドリア量が増加し、生命活動の活性化が得られ、全身的賦活効果が生じる。
【発明を実施するための最良の形態】
【００１１】
まず、本発明の基本的思想の基盤について説明する。ａ）地球の誕生時には空気中に酸素は存在していなかった。ｂ）藻類による光合成の発現が好気的生物の発現となった。換言すると、酸素の発現が好気的生物を造った。ｃ）長期生存には、ｉ）生命エネルギーの持続的供給システム（脂質の利用）、ii) 免疫系の発達、iii)生殖器系の発達が必要である。ｄ）したがって、ｉ） ii)に対しては、酸素濃度との関係は密接であるはずである。ｅ）しかし、現状の通常酸素濃度（２０．９％）では、この濃度で生存する仕組みとなっているため、酸素の役割を区別できない。ｆ）ところが、３５％以上の高濃度酸素条件では、この濃度に対応した新しい生体内機構が生まれるため、ここで初めて高濃度酸素が好気的生物において形成して来た全てのシステムを見出すことができる。
【００１２】
［動物実験及びその結果］
発明者は、被検体ラットをＡ群と、Ｂ群と、Ｃ群とに分け、Ａ群には２０．９％の通常濃度酸素を吸入させ（大気中に放置）、Ｂ群には２０．９％の通常濃度酸素を吸入させながら運動（大気中でスイミング）をさせ、Ｃ群には３８．５％の高濃度酸素を吸入させた場合（高濃度酸素が充満された室内に放置）の作用効果（結果）を調べた。その結果について、図面を参照しながら説明する。なお、Ｃ群の酸素暴露時間は１時間／日、頻度は５日／週、暴露継続期間は４週間であった。
【００１３】
（１）高濃度酸素条件下では脂肪が分解される。
図１に、通常濃度酸素条件下のＡ群及びＢ群のプラズマＦＦＡと、高濃度酸素条件下のＣ群のプラズマＦＦＡの測定結果を示す。図から明らかなように、高濃度酸素条件下ではプラズマＦＦＡが通常濃度酸素条件下のおよそ２倍強に増加した。これは、脂肪組織でのＴＧが分解されていることを示す。
【００１４】
脂肪組織（副睾丸脂肪組織）におけるリパーゼ活性（ｌｉｐａｓｅ  ａｃｔｉｖｉｔｙ）を測定した。その結果は、図２に示すとおりである。リパーゼ活性は、体重当たりの脂肪組織量（ｍｇ／ｇ）ＢＷと負の相関関係にあった（図２の黒三角）。しかし、高濃度酸素条件下では、この勾配が著しく大きく、およそ１０倍となっていた。これは、高濃度酸素条件では脂肪の分解と動員が高められることを意味する。
【００１５】
（２）高濃度酸素条件下ではより多くの脂肪を利用するシステムができる。
多くのプラズマＦＦＡが動員されても、これを利用するシステムがなければ、その意味がない。脂肪の利用はミトコンドリアに限定されている。その理由は、β酸化システムがミトコンドリア内に存在しているためである。すなわち、高濃度酸素条件下では多くの脂肪を利用するシステムが構成される。そのシステムとは、以下に述べるものである。
（ａ）高濃度酸素条件下ではミトコンドリアが増加する。
肝臓のミトコンドリア量を比較した結果を図３に示す。高濃度酸素条件下で飼育したＣ群の被検体には、統計学的にも明らかなミトコンドリア量（タンパク量）の増加が認められた。換言すると、高濃度酸素下ではエネルギー産生工場としてのミトコンドリア量が増加している。
（ｂ）高濃度酸素条件下ではエネルギー産生速度も高まる。
肝臓ミトコンドリアでの吸収制御指数（Ｒｅｓｐｉｒａｔｉｏｎ  Ｃｏｎｔｒｏｌ  Ｉｎｄｅｘ  ：ＲＣＩ）を求め、その結果を図４に示した。同図から明らかなように、高濃度酸素条件下では、ＲＣＩが有意に高まっていた。
（ｃ）ＣＬ（Ｃａｒｄｉｏｌｉｐｉｎ）における変化
ＣＬはミトコンドリア内膜に局在し、チトクロームＣオキシダーゼと結合しているリン脂質である。したがって、この量の変化は、ミトコンドリア量と関連している。図５に通常濃度酸素条件下のＡ群と高濃度酸素条件下のＣ群の被検体の骨格筋、肝臓、心筋のＣＬの変化を示す。高濃度酸素条件下では、これらのいずれの組織においてもＣＬ含有量の増加が認められた。すなわち、高濃度酸素条件の影響は生体内のすべての臓器、組織のミトコンドリアに出現している。
【００１６】
（３）高濃度酸素条件下では体温上昇が起きる。
このようなミトコンドリアの増加、呼吸制御指数（ＲＣＩ）の増大、並びにＣＬの増加は、脂質代謝の亢進となる。Ａ群とＣ群の被検体の体温を調べた結果を図６に示す。同図に示すように、高濃度酸素条件下では明らかに体温の上昇が認められた。
【００１７】
（４）高濃度酸素条件下では形態的変化が起きる。
図７の（ｘ）（ｙ）（ｚ）はそれぞれ脂肪組織ＴＧ量、体重及び脂肪組織量の変化を示す。高濃度酸素条件下における脂肪組織ＴＧ量には有意な減少が認められ、体重も減少し、脂肪組織にも減少が生じた。
【００１８】
（５）高濃度酸素条件下では免疫機能が高められる。
高濃度酸素条件下におけるＮＫ（ナチュラルキラー）細胞、ＩＬ−２（インターロイキン２）、ＴＮＦ（Ｔｕｍｏｒ  Ｎｅｃｒｏｓｉｓ  Ｆａｃｔｏｒ：  腫瘍壊死因子）、マクロファージの変化を図８に示す。高濃度酸素条件下では、ＮＫ並びにＩＬ−２に統計学的に有意な増加が生じた。つまり、高濃度酸素条件は免疫機能を高めることが明らかである。
【００１９】
高濃度酸素条件は、プロスタグランディンの形成に関与している。高濃度酸素条件下での各組織のＴＧ並びにリン脂質（ＰＥ，ＰＣ）の脂肪酸組成率の変化を図９に示す。同図から、リノール酸（ＴＧ；Ｃ１８：２）がアラキドン酸（ＰＥ，ＰＣ；Ｃ２０：４）に変化することが認められる。アラキドン酸はプロスタグランディン（ＰＧ）を生成し、細胞膜受容体に取り込まれてｃＡＭＰ，ｃＧＭＰを生成するので、これにより、免疫細胞が活性化される。これが高濃度酸素条件下での脂質代謝亢進がなぜ免疫機能を高める結果となるかの理由であると思われる。
【００２０】
（６）高濃度酸素吸入による効果はトレーニング効果を凌ぐ。
高濃度酸素条件下におけるミトコンドリアやＣＬの変化がどの程度の影響を与えるかを明らかにする目的で、被検体Ａ群、Ｂ群、及びＣ群の骨格筋ＣＬの量的変化を調べた。Ｂ群のトレーニングには、スイミングを１日３０分間、週６回とし、４週間行った。その結果を図１０に示す。
図１０から明らかなように、Ｂ群ではＡ群に比べ骨格筋ＣＬの増加が生じていたが、Ｃ群ではＢ群よりも遙かに高い骨格筋ＣＬの増加があった。これは、高濃度酸素条件は骨格筋ＣＬの増加に関してトレーニングよりも遙かに優れていることを示している。
【００２１】
（７）プラズマ粒子への高濃度酸素条件の影響
高濃度酸素吸入前と後のプラズマ粒子像（Ｐｌａｓｍａ  ｐａｒｔｉｃｌｅ  ｉｍａｇｅ）をＢｅｃｋｍａｎ社製分析装置フローサイトメトリー（Ｆｌｏｗ  ｃｙｔｏｍｅｔｒｙ）で分析し、その結果を図１１に示した。
高濃度酸素付加前（ａ）のプラズマ粒子像に比べ、高濃度酸素付加後（ｂ）では矢印部分の粒子が消え、逆に左下方向に大きな粒子群が形成されていることがわかる。つまり、粒子の大きさと密度がいずれも小さくなっている。
【００２２】
高濃度酸素条件下におけるプラズマ脂質（Ｐｌａｓｍａコレステロールエステル、ＣＥ，Ｐｌａｓｍａホスファチジルコリン：ＰＣ）の変化を図１２に示す。図から明らかなように、高濃度酸素条件下の血液ではＰＣ，ＣＥの増加が認められ、これらの結果はコレステロール処理のためのＬＣＡＴが活性化されていることを意味している。
このようなＬＣＡＴの働きは、赤血球膜表面にある１−ａｃｘｙｇｌｙｃｅｒｏｐｈｏｓｐｈｏｒｙｌｃｈｏｌｉｎｅ  ａｃｙｌｔｒａｎｓｆｅｒａｓｅを介して行われるため、その背景に赤血球膜での脂質変化が関与している。そこで、赤血球膜脂質について図１３に示す。高濃度酸素条件下ではＰＥ（Ｐｈｏｓｐｈａｔｉｄｙｌｅｔｈａｎｏｌａｍｉｎｅ），ＰＣ（Ｐｈｏｓｐｈａｔｉｄｙｌｃｈｏｌｉｎｅ）に有意な増加が認められ、ＰＳ（Ｐｈｏｓｐｈａｔｉｄｙｌｃｈｏｌｉｎｅ）では逆に減少となった。
このような結果は、１−ａｃｘｙｇｌｙｃｅｒｏｐｈｏｓｐｈｏｒｙｌｃｈｏｌｉｎｅ  ａｃｒｙｌｔｒａｎｓｆｅｒａｓｅを介してＬＣＡＴによって生じるｌｙｓｏｌｅｃｉｔｈｉｎｅをＰＣ（ｐｈｏｓｐｈａｔｉｄｙｌｃｈｏｌｉｎｅ）とし、プラズマ中で無害化が亢進し、そのためのに赤血球膜でのＰＣ合成が高まっている。
【００２３】
赤血球膜脂質でのこのようなＰＣ，ＰＥの変化は、赤血球膜の柔らかさ（流動性）の変化を示すことになる。そこで、ＰＥ／ＰＣ比を見ると、その結果はそれぞれを図１４に示す通りである。すなわち、高濃度酸素条件下ではＰＣ増加が著しく、ＰＥ／ＰＣ比は小さくなり、赤血球膜は柔らかくなっていることが示された。
【００２４】
上述された高濃度酸素吸入の諸条件についてさらに考察すると、酸素濃度の問題は、数値上では成立しているが、この要素が生体内環境を変えていないということである。変えているとすれば、上に示した３５％水準まで最高肺胞内のガス交換は極めて速いため、ここでの酸素濃度は無視でき、むしろ３５％レベルの酸素濃度にどれだけ暴露していたか（総暴露時間）が重要となる。
【００２５】
酸素濃度に対する新しい知見について、追記すると、
１．吸収する酸素濃度を変えても、肺胞内酸素濃度は比例して上昇しない。
図１５は、６０％酸素を２０分間吸入したときの呼気ガスを分析した結果である。呼気ガス（ＦＥＴＯ２％）は肺胞内の酸素濃度を示す。このデータでは、酸素濃度は３０〜３５％の範囲内で安定しており、これ以上になっていない。この原因は血液中酸素濃度（ＳａＯ2 ）が高まると換気量（呼吸数×１回換気量）が減少するためである。
このような生体機構から見ると、酸素濃度環境をどれだけ変えたとしても、生体内は、そのような環境となっていないことを示す。
したがって、どのように高い酸素濃度を用いても、この図に示したようにせいぜい３０〜３５％となるのが最大と考えられる。
【００２６】
図１６はこれらの経過を１つのグラフにまとめたものである。すなわち、呼気ガス中の酸素濃度（肺胞内：実線）と換気量（鎖線）との関係を示す。この図で明らかとなるように、Ｘ軸の環境酸素濃度を増加させても、換気量が低下してしまうため、肺胞内酸素濃度はあるレベル（３５〜４０％）以上には達しない。
したがって、空気中酸素濃度に比べ、高い酸素濃度条件（３０〜３５％）となるが、それ以上には達しない理由がここにある。すなわち、濃度より暴露時間が問題となる。
【００２７】
動物実験（ラット）からヒトに換算予測する場合は、通常、年齢予測に用いる３０倍を用いる。
（１）例えば、ラット３．０年の寿命は３．０×３０＝９０歳（ヒト）を予測させる。
（２）これまで報告してきた成果が３５％酸素濃度で、１日１時間、週５日、４週間で発現したとすると、高濃度酸素へのラットの総暴露時間は、１ｈ／日×週５日×４週間＝２０時間となる。
（３）これをヒトに換算すると、３０×２０ｈｒｓ＝６００ｈｒｓである。（この時、ミトコンドリアは、１．６倍位増加している）
（４）しかし、空気中の組成（２０．９％）では、どんなに暴露していても、このような変化は起きない。
（５）したがって、酸素濃度と暴露時間、ミトコンドリア形成との間には、指数関係が成立していると予測できる。
（６）酸素濃度（２０〜６０％）への有効な暴露時間とミトコンドリア形成をまとめると、図１７に示したようになる。
（７）しかし、任意なヒトの呼吸では、その必要に応じて換気するため、６０％酸素濃度を用いても、肺胞内濃度は３０〜４０％に止まり、これ以上に上昇することはなく、この図では、あくまで数字上の問題で実際には起こりえない。
（８）そこで、有効であった６００時間を中心に考えると、１日に３０分間の暴露で１２００時間（約３．３年）を要する。
有効性が出現するまでの１／２をとっても、１．６〜１．７年を要することになる。
（９）しかし、これらの暴露時間の算出は、あくまでも、細胞構成成分の変化（ミトコンドリア，脂肪酸組成）を基準としているため、有効成果出現については、この１／２〜１／３の暴露時間でよいと思われる。その理由は、この効果に速効性，緩効性，遅効性が認められる点にある。
１日２０分間暴露における期間とそれぞれの効果出現の時期及び効果の度合いの関係は、図１６に示すとおりである。
【００２８】
２．生じた変化を総暴露時間で解釈できることになる。
高濃度酸素の吸入条件
（１）濃度：肺胞内酸素濃度が高い酸素濃度（３０〜３５％）に達すればよい。
この時間は極めて速いため、論議の対象外と考えられる。しかし、どのような場合でも６０％以下とすべきである。
（２）処方：動物であらわれたと同じ成果を得るためには、６００時間を要する。これを逆算し、１日当たり、週当たりの処方を作成すると、
ア  １日１時間の処方では、６００日を要する。
イ  １日０．５時間の処方では、１２００日を要する。
ウ  １日２０分の処方では、１８００日を要する。
エ  有効性の出現だけを目的とすると、この場合１／２を用いる。１日２０分：９００日となる。
しかし、この期間は、細胞構成上の変化（ミトコンドリア，細胞構成成分，免疫機能など）を基準としたもので、速効性，緩効性を考慮すると１日２０分〜１週間（速効性）、２〜３ケ月（緩効性）、６ケ月（遅効性）で有効性を見い出すことはできると思われる。  
【００２９】
３．臨界の意義
諸条件には当然、臨界が存在するように考えられるが、酸素濃度を増加させると、換気を減少させ、生体防御と思われる現象が出現する。その濃度があるとすれば、肺胞内酸素濃度が３５％当たりに達する点と思われる。したがって、どんな濃度を用いても、これ以上となることはない。
【００３０】
上記の成果から、高濃度酸素吸入には次のような意義があることが明らかになった。
ａ）高濃度酸素条件は、ミトコンドリアの増加を招来し、その増加は生命エネルギーの賦活をもたらし、根源的に脂肪の利用・燃焼を促進するので、生命賦活効果や脂肪減少の効果が得られる。
ｂ）高濃度酸素条件は、赤血球膜を柔らかくし、血液粘度を低下してプラズマ粒子を小さくし、血流を促進するため、血栓予防効果が得られる。
ｂ）高濃度酸素条件は、免疫系を高め、感染防御能を高める。
ｃ）高濃度酸素条件下での運動は、酸素とトレーニングによる相乗効果を生む。
【図面の簡単な説明】
【００３１】
【図１】通常濃度酸素条件下と、高濃度酸素条件下のプラズマＦＦＡの測定結果を示すグラフ。
【図２】脂肪組織の脂肪分解能を示すグラフ。
【図３】肝臓のミトコンドリア量の比較図。
【図４】肝臓ミトコンドリアでのＡＴＰ産生速度の比較図。
【図５】通常濃度酸素条件下と高濃度酸素条件下の骨格筋、肝臓、心筋のＣＬの変化を示すグラフ。
【図６】Ａ群とＣ群の被検体の体温を調べた結果を示すグラフ。
【図７】肪組織ＴＧ量（ｘ）、体重（ｙ）及び脂肪組織量（ｚ）の変化を示すグラフ。
【図８】高濃度酸素条件下におけるＮＫ細胞、ＩＬ−２、ＴＮＦ、マクロファージの変化を示すグラフ。
【図９】高濃度酸素条件下での各組織のＴＧ並びにリン脂質の脂肪酸組成率の変化を示す模式図。
【図１０】被検体Ａ群、Ｂ群、及びＣ群の骨格筋ＣＬの量的変化を示すグラフ。
【図１１】高濃度酸素吸入前と後のプラズマ粒子像を分析装置で分析した結果を示す図。
【図１２】高濃度酸素条件下におけるプラズマ脂質ＣＥ，ＰＣの変化を示す図。
【図１３】赤血球膜質の変化を示すグラフ。
【図１４】赤血球膜ＰＥ／ＰＣ比の図
【図１５】高濃度酸素吸入下での呼気中の酸素濃度の計測結果を示す図。
【図１６】呼気ガス中の酸素濃度と換気量の関係を示す図。
【図１７】高濃度酸素暴露時間とミトコンドリア量増加の関係を示す図。
【図１８】高酸素暴露下で予測される変化を示す概念図。
【図１】
2006102037.tif 000003
【図２】
2006102037.tif 000004
【図３】
2006102037.tif 000005
【図４】
2006102037.tif 000006
【図５】
2006102037.tif 000007
【図６】
2006102037.tif 000008
【図７】
2006102037.tif 000009
【図８】
2006102037.tif 000010
【図９】
2006102037.tif 000011
【図１０】
2006102037.tif 000012
【図１１】
2006102037.tif 000013
【図１２】
2006102037.tif 000014
【図１３】
2006102037.tif 000015
【図１４】
2006102037.tif 000016
【図１５】
2006102037.tif 000017
【図１６】
2006102037.tif 000018
【図１７】
2006102037.tif 000019
【図１８】
2006102037.tif 000020